(57)【特許請求の範囲】
【請求項１】
吸引装置の吸引力に基づいて電力機器に吸着する吸盤を有し、前記吸盤によって前記電力機器に取り付けられた状態で前記電力機器の浸水量を推定する浸水量推定装置が、診断されるべく前記電力機器の代わりに取り付けられる診断装置であって、
前記吸盤と対向する位置に吸引孔が設けられており、前記浸水量推定装置が取り付けられる取付板と、
前記取付板に前記浸水量推定装置が取り付けられた際に、前記吸引孔を介して前記吸引力を検出する第１検出装置と、
前記第１検出装置の検出結果に基づく情報を報知する報知装置と、
前記第１検出装置を収容する筐体と、を備え、
前記浸水量推定装置は、
前記電力機器に対して熱を第１時間だけ付与するヒータと、
前記電力機器の浸水量を推定するべく、前記電力機器の前記第１時間における温度上昇値を検出する第２検出装置と、
前記第２検出装置の検出結果に基づく情報を表示する表示装置と、を更に有し、
前記取付板は、前記浸水量推定装置が取り付けられたときに前記ヒータから熱が付与されると共に前記第２検出装置によって温度が検出されるように、前記ヒータ及び前記第２検出装置と対向する形状を呈しており、
前記筐体には、前記ヒータが前記電力機器の代わりに前記取付板に対して前記第１時間に対応する第２時間だけ熱を付与した際の、前記第２時間における前記取付板の温度上昇値を含む所定の温度上昇範囲として予め設定されている情報が記されている
ことを特徴とする診断装置。
【請求項２】
前記取付板は、前記電力機器を形成している材料を模した材料により形成されている
ことを特徴とする請求項１に記載の診断装置。
【請求項３】
前記報知装置は、前記第１検出装置の検出結果に基づく情報を表示する表示装置、を有する
ことを特徴とする請求項１に記載の診断装置。
【請求項４】
前記第１検出装置を収容する筐体、を更に備え、
前記取付板は、前記筐体の外面の一部として前記筐体に設けられており、
前記筐体には、前記電力機器に対して前記電力機器を取り付けるための前記吸引力の下限値に基づく情報が記されている
ことを特徴とする請求項３に記載の診断装置。
【請求項５】
前記第１検出装置を収容する筐体、を更に備え、
前記取付板は、前記筐体の天面に設けられる
ことを特徴とする請求項１に記載の診断装置。
【請求項６】
前記取付板には、前記吸盤と前記吸引孔とが対向するように前記浸水量推定装置を位置決めするためのしるしが記されている
ことを特徴とする請求項１に記載の診断装置。
【発明の詳細な説明】
【技術分野】
【０００１】
本発明は、診断装置に関する。
【背景技術】
【０００２】
例えば、開閉器の浸水量を推定する浸水量推定装置が知られている（例えば特許文献１）。
【先行技術文献】
【特許文献】
【０００３】
【特許文献１】特開２０１０―２１７１０６号公報
【発明の概要】
【発明が解決しようとする課題】
【０００４】
例えば、特許文献１の浸水量推定装置は、吸引装置の吸引力に基づいて電力機器に吸着する吸盤によって電力機器に取り付けられた状態で、電力機器の浸水量を推定する。吸引装置が故障している場合、吸引力が低下することがある。この場合、浸水量推定装置を電力機器に取り付けることが困難となり、浸水量推定装置を用いて電力機器の浸水量を推定することができなくなる虞がある。
【課題を解決するための手段】
【０００５】
前述した課題を解決する主たる本発明は、吸引装置の吸引力に基づいて電力機器に吸着する吸盤を有し、前記吸盤によって前記電力機器に取り付けられた状態で前記電力機器の浸水量を推定する浸水量推定装置が、診断されるべく前記電力機器の代わりに取り付けられる診断装置であって、前記吸盤と対向する位置に吸引孔が設けられており、前記浸水量推定装置が取り付けられる取付板と、前記取付板に前記浸水量推定装置が取り付けられた際に、前記吸引孔を介して前記吸引力を検出する第１検出装置と、前記第１検出装置の検出結果に基づく情報を報知する報知装置と、前記第１検出装置を収容する筐体と、を備え、前記浸水量推定装置は、前記電力機器に対して熱を第１時間だけ付与するヒータと、前記電力機器の浸水量を推定するべく、前記電力機器の前記第１時間における温度上昇値を検出する第２検出装置と、前記第２検出装置の検出結果に基づく情報を表示する表示装置と、を更に有し、前記取付板は、前記浸水量推定装置が取り付けられたときに前記ヒータから熱が付与されると共に前記第２検出装置によって温度が検出されるように、前記ヒータ及び前記第２検出装置と対向する形状を呈しており、前記筐体には、前記ヒータが前記電力機器の代わりに前記取付板に対して前記第１時間に対応する第２時間だけ熱を付与した際の、前記第２時間における前記取付板の温度上昇値を含む所定の温度上昇範囲として予め設定されている情報が記されていることを特徴とする診断装置である。
【０００６】
本発明の他の特徴については、添付図面及び本明細書の記載により明らかとなる。
【発明の効果】
【０００７】
本発明によれば、浸水量推定装置を診断するための情報を報知することができる。
【図面の簡単な説明】
【０００８】
【図１】本発明の実施形態における開閉器と浸水量推定装置とを示す正面図である。
【図２】本発明の実施形態における開閉器と浸水量推定装置とを示す斜視図である。
【図３】本発明の実施形態における表側から見た状態の浸水量推定装置を示す斜視図である。
【図４】本発明の実施形態における裏側から見た状態の浸水量推定装置を示す斜視図である。
【図５】本発明の実施形態における浸水量推定装置を示す側面図である。
【図６】本発明の実施形態における診断装置を示す斜視図である。
【図７】本発明の実施形態における診断装置を示す断面図である。
【図８】本発明の実施形態における浸水量推定装置が取り付けられた状態の診断装置を示す側面図である。
【発明を実施するための形態】
【０００９】
本明細書および添付図面の記載により、少なくとも以下の事項が明らかとなる。
【００１０】
＝＝＝浸水量推定装置＝＝＝
以下、図１乃至図５を参照して、本実施形態における浸水量推定装置について説明する。図１は、本実施形態における開閉器と浸水量推定装置とを示す正面図である。図２は、本実施形態における開閉器と浸水量推定装置とを示す斜視図である。図３は、本実施形態における表側から見た状態の浸水量推定装置を示す斜視図である。図４は、本実施形態における裏側から見た状態の浸水量推定装置を示す斜視図である。図５は、本実施形態における浸水量推定装置を示す側面図である。尚、ヒータ２４、温度センサ２５、吸引ポンプ２３２、制御装置２３３は、見えない状態となっているが、説明の便宜上、破線で示されている。
【００１１】
＝構成＝
浸水量推定装置２は、電柱６１０の腕金６２０に設けられている開閉器５（電力機器）の底面５１に取り付けられた状態で、開閉器５の浸水量を推定する装置である。尚、底面５１は、開閉器５の筐体の垂直方向（Ｚ１）における下側（−Ｚ１）の面である。浸水量推定装置２は、例えば開閉器５に取り付けられる前に、開閉器５の代わりに診断装置１（図６）に取り付けられて第１の診断及び第２の診断が行われる。尚、診断装置１、第１及び第２の診断については、後述する。
【００１２】
浸水量推定装置２は、筐体２０、表示装置２１、スイッチ２２、吸盤２３、ヒータ２４、温度センサ２５（第２検出装置）、吸引ポンプ２３２（吸引装置）、制御装置２３３を有する。
【００１３】
表示装置２１は、温度センサ２５の検出結果に基づく情報が表示される表示ディスプレイである。表示装置２１は、筐体２０における表側（＋Ｚ）の天面２０１に設けられる。温度センサ２５の検出結果に基づく情報には、例えば、温度センサ２５に検出された温度を示す情報、所定時間における温度上昇値等が含まれている。
【００１４】
スイッチ２２は、浸水量推定装置２をオンオフするための電源スイッチである。
【００１５】
吸盤２３、ヒータ２４、温度センサ２５は、筐体２０における裏側（−Ｚ）の裏面２０２に設けられる。
【００１６】
吸盤２３は、浸水量推定装置２を開閉器５に取り付けるための吸着力を発生する。吸盤２３の吸着力は、吸引ポンプ２３２の吸引力に基づいて発生する。
【００１７】
吸引ポンプ２３２は、筐体２０の内部に設けられており、例えば通気管２３１を介して吸盤２３の内部と連通している。例えば浸水量推定装置２がオンされた場合、吸引ポンプ２３２の吸引が開始される。この吸引により、吸盤２３の内部で負圧が発生し、吸盤２３の内部の負圧に基づいて吸盤２３の吸着力が発生する。そして、浸水量推定装置２は、この吸盤２３の吸着力によって、開閉器５に取り付けられる。
【００１８】
ヒータ２４は、浸水量推定装置２が取り付けられている取付対象物に対して、熱を付与する。温度センサ２５は、取付対象物の温度を検出する。尚、例えば浸水量推定装置２が開閉器５に取り付けられている場合、取付対象物は、開閉器５になる。又、例えば浸水量推定装置２が開閉器５の代わりに診断装置１に取り付けられている場合、取付対象物は、診断装置１になる。
【００１９】
制御装置２３３は、筐体２０の内部に設けられており、浸水量を推定したり、浸水量推定装置２を統括制御したりする。制御装置２３３は、ヒータ２４に対して所定時間だけ熱を付与させて、温度センサ２５の検出結果に基づいて開閉器５の所定時間における温度上昇値を検出する。制御装置２３３は、この温度上昇値に基づいて、開閉器５の浸水量を推定する。尚、例えば、特開２０１０―２１７１０６号公報に開示されている構成に基づいて、制御装置２３３が開閉器５の浸水量を推定することとしてもよい。又、例えば、温度上昇値と浸水量との関係を示す浸水量の実験データが所定の記憶装置に記憶されており、この浸水量の実験データと温度センサ２５の検出結果に基づく温度上昇値とに基づいて、制御装置２３３が開閉器５の浸水量を推定することとしてもよい。制御装置２３３は、開閉器５の浸水量の推定結果を示す情報を、浸水量推定装置２を遠隔操作するためのリモコン３に送信することとしてもよい。
【００２０】
＝動作＝
浸水量推定装置２は、スイッチ２２によってオンされた状態で、吸盤２３の吸着力によって開閉器５に取り付けられる。浸水量推定装置２は、例えば開閉器５に対して所定時間だけ熱を付与する。浸水量推定装置２は、開閉器５の所定時間における温度上昇値を検出し、当該検出結果に基づいて開閉器５の浸水量を推定する。この後、浸水量推定装置２は、開閉器５の浸水量の推定結果を示す情報をリモコン３に送信する。
【００２１】
＝故障＝
例えば、吸引ポンプ２３２の故障により吸引ポンプ２３２の吸引力が低下した場合（「第１の故障」とも称する）、吸盤２３の吸着力が低下して、開閉器５に取り付けられている浸水量推定装置２が、開閉器５から外れる虞がある。又、例えば、ヒータ２４及び温度センサ２５の少なくとも一方が故障した場合（「第２の故障」とも称する）、開閉器５の温度上昇値を適正に検出できなくなり、開閉器５の浸水量の推定精度が低下する虞がある。従って、浸水量推定装置２が開閉器５に取り付けられる前に、第１及び第２の故障についての診断を行うことが好ましい。
【００２２】
＝＝＝診断装置＝＝＝
以下、図６乃至図８を参照して、本実施形態における浸水量推定装置について説明する。図６は、本実施形態における診断装置を示す斜視図である。図７は、本実施形態における診断装置を示す断面図である。図７は、図６の診断装置１における吸引孔１４５を通りＸＺ平面に平行な断面において、−Ｙから＋Ｙに向かって見た断面図である。図８は、本実施形態における浸水量推定装置が取り付けられた状態の診断装置を示す側面図である。尚、取付板１４の一部、吸引力センサ１６（第１検出装置）、通気管２３１、吸引ポンプ２３２、ヒータ２４、温度センサ２５は見えない状態となっているが、説明の便宜上、破線で示されている。
【００２３】
Ｚ軸は、筐体１０における天面６５及び底面６６に対して直交し上下方向に沿う軸であり、＋Ｚは底面６６から天面６５に向かう方向を示し、−Ｚは天面６５から底面６６に向かう方向を示している。Ｘ軸は、筐体１０における側面６１及び側面６２に対して直交する軸であり、側面６２から側面６１に向かう方向を＋Ｘとし、側面６１から側面６２に向かう方向を−Ｘとする。Ｙ軸は、筐体１０における側面６３及び側面６４に対して直交する軸であり、側面６３から側面６４に向かう方向を＋Ｙとし、側面６４から側面６３に向かう方向を−Ｙとする。
【００２４】
診断装置１は、浸水量推定装置２が取り付けられて、第１及び第２の診断を行うための装置である。尚、第１及び第２の診断については、後述する。診断装置１は、筐体１０、スイッチ１１、シール１２、表示装置１３、取付板１４、制御装置１５（図７）、吸引センサ１６を有する。
【００２５】
筐体１０は、例えば金属により形成されており、略矩形柱形状を呈している。筐体１０には、制御装置１５及び吸引センサ１６が収容されている。
【００２６】
スイッチ１１は、診断装置１をオンオフするための電源スイッチである。スイッチ１１は、側面６１に設けられている。
【００２７】
シール１２には、第１及び第２の診断の際に用いられる各種情報が記されている。尚、各種情報については、後述する。シール１２は、例えば筐体１０に貼付される。尚、シール１２が取付板１４における浸水量推定装置２が取り付けられる位置から離れた位置に貼付されることとしてもよい。
【００２８】
表示装置１３は、吸引センサ１６の検出結果に基づく情報が表示される表示ディスプレイである。表示装置１３は、筐体１０における取付板１４が設けられている天面６５に設けられる。
【００２９】
取付板１４は、第１及び第２の診断が行われる際に、浸水量推定装置２が取り付けられる金属板である。取付板１４は、開閉器５を形成している材料を模した材料により形成されている。取付板１４は、略矩形形状を呈している。取付板１４は、筐体１０における天面６５に設けられる。つまり、取付板１４は、筐体１０における外面の一部として設けられている。取付板１４の面積は、取付板１４に対して浸水量推定装置２が取り付けられた際に、吸盤２３が吸引孔１４５と対向し且つヒータ２４及び温度センサ２５が取付板１４と対向するように、浸水量推定装置２の裏面２０２の面積よりも広く設定されている。つまり、取付板１４は、浸水量推定装置２が取付板１４に取り付けられたときにヒータ２４から熱が付与されると共に温度センサ２５によって取付板１４の温度が検出されるように、ヒータ２４及び温度センサ２５と対向する形状を呈している。取付板１４は、螺子１４１乃至１４４を用いて四隅を筐体１０に固定されて、筐体１０に取り付けられる。取付板１４は、筐体１０の内部を容易にメンテナンスできるように、筐体１０に対して着脱自在に取り付けられる。取付板１４には、吸引孔１４５、しるし１４６が設けられる。
【００３０】
吸引孔１４５は、浸水量推定装置２が取付板１４に取り付けられたときに、吸盤２３と対向する位置に設けられる貫通孔である。吸引孔１４５は、吸引力センサ１６に通じている。
【００３１】
しるし１４６は、吸盤２３と吸引孔１４５とが対向するように、取付板１４に対して浸水量推定装置２の位置決めを行うためのしるしである。しるし１４６は、例えば浸水量推定装置２の筐体２０の外形に沿う略コ字状の線として記されている。
【００３２】
吸引センサ１６は、筐体１０の内部に収用されている例えばバキュームセンサである。吸引センサ１６は、上下方向（Ｚ軸）における取付板１４の浸水量推定装置２が取り付けられる面（＋Ｚ）とは反対側の面（−Ｚ）の吸引孔１４５と対向する位置に設けられる。この構成により、吸引センサ１６の検出精度を向上させることができる。又、この構成により、吸引孔１４５と吸引センサ１６とを接続するための例えば管が不要となるので、診断装置１の部品点数を減少させることができる。吸引センサ１６は、第１の診断において吸引孔１４５を介して浸水量推定装置２の吸引ポンプ２３２の吸引力を検出する。そして、吸引センサ１６の検出結果に基づく情報は、表示装置１３に表示される。尚、吸引センサ１６による吸引力の検出は常時行われており、表示装置１３に表示される情報は例えば数ミリ秒毎に更新される。
【００３３】
制御装置１５は、診断装置１を統括制御する。例えば、スイッチ１１の操作により診断装置１がオンされた場合、制御装置１５は、吸引センサ１６による検出を開始させ、吸引センサ１６の検出結果に基づく情報を表示装置１３に表示させる。
【００３４】
＝＝＝第１及び第２の診断＝＝＝
以下、図８を参照して、本実施形態における第１及び第２の診断について説明する。
【００３５】
＝第１の診断＝
第１の診断は、第１の故障についての診断である。第１の診断では、吸引力が所定の吸引力より弱いか強いかの判断が行われる。
【００３６】
所定の吸引力は、開閉器５に取り付けられている浸水量推定装置２が自重で外れない程度の吸着力が吸盤２３で発生する吸引力の下限値を示している。例えば吸引ポンプ２３２の吸引力が所定の吸引力より強い場合、開閉器５に取り付けられている浸水量推定装置２が自重で外れないことになる。一方、例えば吸引ポンプ２３２の吸引力が所定の吸引力より弱い場合、開閉器５に取り付けられている浸水量推定装置２が自重で外れる可能性が発生することになる。尚、所定の吸引力を示す情報は、各種情報のうちの一の情報としてシール１２に記されている。
【００３７】
第１の診断は、表示装置１３に表示されている吸引センサ１６による吸引力の検出結果と、シール１２に記されている所定の吸引力との比較により行われる。例えば吸引力が所定の吸引力よりも強い場合、吸引ポンプ２３２は正常であると診断される。一方、例えば吸引力が所定の吸引力よりも弱い場合、吸引ポンプ２３２は異常であり故障の虞があると診断される。尚、これの診断は、浸水量推定装置２のユーザによって行われる。
【００３８】
＝第２の診断＝
第２の診断は、第２の故障についての診断である。第２の診断では、浸水量推定装置２の表示装置２１に示されている所定時間における温度上昇値（「表示装置２１の表示に基づく温度上昇値」とも称する）が所定の温度範囲内となっているか否かの判断が行われる。
【００３９】
所定の温度範囲は、実験等により予め定められている。所定の温度範囲は、ヒータ２４及び温度センサ２５が正常に動作している際に、所定時間だけヒータ２４から取付板１４に対して熱を付与し、この所定時間における温度センサ２５の検出に基づく温度上昇値（「正常な温度上昇値」とも称する）に応じて定められる。例えば、所定の温度範囲は、正常な温度上昇値の１１０％程度を上限値とし、正常な温度上昇値の９０％程度を下限値とした範囲であることとしてもよい。尚、所定の温度範囲を示す情報は、各種情報のうちの一の情報としてシール１２に、所定の吸引力を示す情報と共に記されている。
【００４０】
第２の診断は、表示装置２１の表示に基づく温度上昇値と、シール１２に記されている所定の温度範囲との比較により行われる。例えば表示装置２１の表示に基づく温度上昇値が所定の温度範囲内である場合、ヒータ２４及び温度センサ２５は正常であると診断される。一方、例えば表示装置２１の表示に基づく温度上昇値が所定の温度範囲内でない場合、ヒータ２４及び温度センサ２５の少なくとも一方は異常であり、故障の虞があると診断される。尚、これの診断は、浸水量推定装置２のユーザによって行われる。
【００４１】
前述したように、診断装置１は、浸水量推定装置２が診断されるべく開閉器５の代わりに取り付けられる。浸水量推定装置２は、吸引ポンプ２３２の吸引力に基づいて開閉器５に吸着する吸盤２３を有している。浸水量推定装置２は、吸盤２３によって開閉器５に取り付けられた状態で開閉器５の浸水量を推定する。診断装置１は、取付板１４、吸引力センサ１６、表示装置１３を有する。取付板１４は、吸盤２３と対向する位置に吸引孔１４５が設けられており、浸水量推定装置２が取り付けられる。吸引力センサ１６は、取付板１４に浸水量推定装置２が取り付けられた際に、吸引孔１４５を介して吸引力を検出する。表示装置１３には、吸引力センサ１６の検出結果に基づく情報が表示される。つまり、表示装置１３は、吸引力センサ１６の検出結果に基づく情報を報知する。よって、浸水量推定装置２を診断するための情報を報知することができる。従って、例えば第１の診断を行うことが可能となる。
【００４２】
又、取付板１４は、開閉器５を形成している材料を模した材料により形成されている。従って、浸水量推定装置２が利用される環境に近づけることにより、第１の診断の診断精度を向上させることができる。
【００４３】
又、診断装置１は、吸引力センサ１６を収容する筐体１０を有する。取付板１４は、筐体１０の外面（例えば天面６５）の一部として筐体１０に設けられている。筐体１０には、シール１２が貼付されている。シール１２には、所定の吸引力を示す情報が記されている。所定の吸引力を示す情報と表示装置１３に表示されている情報とに基づいて、確実に第１の診断を行うことが可能となる。
【００４４】
又、取付板１４は、筐体１０の天面６５に設けられている。浸水量推定装置２が取付板１４に載置される。よって、例えば吸引ポンプ２３２の故障により吸引力が低下しているときに、診断装置１を用いて診断されている浸水量推定装置２が診断装置１から外れて落下するのを防止することができる。従って、例えば第１及び第２の診断を安全に行うことが可能な診断装置１を提供することができる。
【００４５】
又、取付板１４には、しるし１４６が記されている。しるし１４６は、吸盤２３と吸引孔１４５とが対向するように浸水量推定装置２を位置決めするために記されている。従って、取付板１４に対する浸水量推定装置２の位置決めが容易となるために、使い勝手のよい診断装置１を提供することができる。
【００４６】
又、浸水量推定装置２は、ヒータ２４、温度センサ２５、表示装置２１を有する。ヒータ２４は、開閉器５に対して熱を例えば第１時間だけ付与する。温度センサ２５は、開閉器５の浸水量を推定するべく、開閉器５の例えば第１時間における温度上昇値を検出する。表示装置２１は、温度センサ２５の検出結果に基づく情報を表示する。取付板１４は、浸水量推定装置２が取り付けられたときにヒータ２４から熱が付与されると共に温度センサ２５によって温度が検出されるように、ヒータ２４及び温度センサ２５と対向する形状を呈している。筐体１０には、シール１２が貼付されている。シール１２には、所定の温度範囲を示す情報が記されている。この所定の温度範囲を示す情報は、例えばヒータ２４が開閉器５の代わりに取付板１４に対して第１時間に対応する第２時間だけ熱を付与した際の、第２時間における取付板１４の温度上昇値を含む所定の温度上昇範囲として予め設定されている情報を含んでいる。従って、第１の診断と共に第２の診断を行うことを可能とする診断装置１を提供することができる。
【００４７】
尚、本実施形態は、本発明の理解を容易にするためのものであり、本発明を限定して解釈するためのものではない。本発明は、その趣旨を逸脱することなく、変更、改良され得るとともに、本発明にはその等価物も含まれる。
【００４８】
本実施形態では、表示装置１３、取付板１４及びシール１２が天面６５に設けられることについて説明したが、これに限定されるものではない。例えば、表示装置１３、取付板１４及びシール１２が側面６１乃至６４、底面６６に設けられることとしてもよい。又、表示装置１３、取付板１４及びシール１２が夫々、筐体１０における異なる面に設けられることとしてもよい。
【００４９】
又、本実施形態では、吸引センサ１６の検出結果に基づく情報が表示装置１３に表示されることについて説明したが、これに限定されるものではない。例えば診断装置１が、スピーカ装置を有していることとしてもよい。この場合、スピーカ装置が、吸引センサ１６の検出結果に基づく情報を発報することとしてもよい。
【００５０】
又、本実施形態では、浸水量推定装置２が開閉器５の浸水量を推定することについて説明したが、これに限定されるものではない。例えば、柱上変圧器等の筐体を有する電力機器の浸水量を浸水量推定装置２が推定することとしてもよい。
【００５１】
又、本実施形態では、所定の吸引力を示す情報及び所定の温度範囲を示す情報がシール１２に記されることについて説明したが、これに限定されるものではない。例えば、所定の吸引力を示す情報及び所定の温度範囲を示す情報が筐体１０に記されることとしてもよいし、取付板１４に記されることとしてもよい。
【００５２】
又、診断装置１に対して取付板１４の温度を検出する温度センサが設けられており、この温度センサの検出結果に基づいて浸水量推定装置２のヒータ２４及び温度センサ２５が正常であるか異常であるかの診断が行われることとしてもよい。
【符号の説明】
【００５３】
１                診断装置
２                浸水量推定装置
５                開閉器
１３              表示装置
１４              取付板
１６              吸引力センサ
１４５            吸引孔
【図１】
0006000996.tif 000002
【図２】
0006000996.tif 000003
【図３】
0006000996.tif 000004
【図４】
0006000996.tif 000005
【図５】
0006000996.tif 000006
【図６】
0006000996.tif 000007
【図７】
0006000996.tif 000008
【図８】
0006000996.tif 000009